(57)【特許請求の範囲】
【請求項１】
ケースと、当該ケース内に収納された増幅部と、前記ケースに対して着脱自在な電源部とによって構成される電源部着脱型増幅器において、
前記ケースは、ケース本体とカバーとによって構成され、
前記電源部は、電源コード、電源出力端子、及び、信号入出力端子を有し、当該電源出力端子及び信号入出力端子の突出方向を、前記電源コードの基端部における突出方向と同じ方向から、約９０°異なる特定の方向へ変更できるように構成されていることを特徴とする電源部着脱型増幅器。
【請求項２】
前記ケース本体の底部に、前記電源部から出力される電力を前記増幅部に入力するための受電端子が配置され、前記電源部を前記ケース本体内に収納した際に、前記電源出力端子及び信号入出力端子の突出方向を前記電源コードの基端部における突出方向と約９０°異なる特定の方向に設定することにより、前記電源部の筐体から前記ケース本体の底部側へ向かって突出させた状態の前記電源出力端子が嵌合し、電気的に接続されるように構成されていることを特徴とする、請求項１に記載の電源部着脱型増幅器。
【請求項３】
前記ケース本体の底部の裏面側に、所定の高さ寸法にて突出する膨出部が形成され、この中に前記受電端子が配置されていることを特徴とする、請求項２に記載の電源部着脱型増幅器。
【請求項４】
前記電源コードのうち、前記ケース内に収納される部分が、前記電源部から、前記ケース本体に形成された電源コード用開口部まで直線的に配置されるように構成されていることを特徴とする、請求項１〜３のいずれかに記載の電源部着脱型増幅器。
【発明の詳細な説明】
【技術分野】
【０００１】
本発明は、地上波放送、衛星放送、或いは、ＣＡＴＶ等の受信システムにおいて用いられる増幅器に関し、特に、ケースに対し電源部が着脱可能に構成された電源部着脱型増幅器に関する。
【背景技術】
【０００２】
戸建住宅や集合住宅の放送受信システムにおいて設置される増幅器には、電源部を有するタイプと、電源部を有していないタイプのものがある。電源部を有するタイプの増幅器は、主に設置場所において商用交流電源を確保できる場合に使用され、電源を確保できない場合には、電源部を有していないタイプのものが使用されている。電源部を有していないタイプの増幅器を使用する場合、その駆動電力は、商用交流電源を確保できる位置から、同軸ケーブル（増幅器からテレビジョン受像機等へ信号を伝送するケーブル）を介して供給されることになる。
【０００３】
また、いずれの場合でも対応できるように、電源部を着脱可能に構成し、増幅器の設置場所において電源を確保できる場合には、電源部をケース内に収納した状態で使用し、電源を確保できない場合には、電源部をケースから取り出して、電源を確保できる位置に設置し、同軸ケーブルを介して増幅器へ電力を供給できるようにした増幅器（電源部着脱型増幅器）も存在する。
【先行技術文献】
【特許文献】
【０００４】
【特許文献１】特開平１１−３４１３９６号公報
【特許文献２】特開２００３−２８９１８８号公報
【特許文献３】特開２００７−２０８２７２号公報
【特許文献４】特開２００８−２１９３６５号公報
【発明の概要】
【発明が解決しようとする課題】
【０００５】
電源部着脱型増幅器において、電源部をケースから取り出して使用する場合（増幅器の設置場所において電源を確保できない場合）、信号の伝送及び電力の供給のため、電源部には同軸ケーブルが接続されることになる。従って、電源部着脱型増幅器の電源部は、筐体から同軸ケーブル用の信号入出力端子が突出した状態となっている。
【０００６】
尚、従来の電源部着脱型増幅器の殆どのものは、電源部の信号入出力端子の突出方向が、電源コードの突出方向と一致している。それらが異なる方向に突出していると、接続される同軸ケーブルや電源コードの取り回しが悪くなり、また、電源部を壁面等に取り付ける場合等において問題が生じてしまうためである。
【０００７】
但し、電源部の信号入出力端子の突出方向が、電源コードの突出方向と一致している場合、電源部をケース内に収納する場合、側方へ突出した信号入出力端子を収めるための余分なスペースをケース内に確保しなければならず、ケース内空間の省スペース化を図り、ケースを小型化しようとする観点からは問題がある。
【０００８】
本発明は、上記のような従来技術における問題を解決すべくなされたものであって、ケース内における電源部の収納スペースを極限まで小さくすることができ、ケースの外形寸法を最小化してなるコンパクトな電源部着脱型増幅器を提供することを目的とする。
【課題を解決するための手段】
【０００９】
本発明に係る電源部着脱型増幅器は、ケースと、ケース内に収納された増幅部と、ケースに対して着脱自在な電源部とによって構成され、ケースは、ケース本体とカバーとによって構成され、電源部は、電源コード、電源出力端子、及び、信号入出力端子を有し、電源出力端子及び信号入出力端子の突出方向を、電源コードの基端部における突出方向（即ち、電源コードが突出する側面に対して垂直な方向）と同じ方向から、約９０°異なる特定の方向へ変更できるように構成されていることを特徴としている。尚、ここに言う「約９０°」とは、９０°を中心としてその上下１５°の範囲、つまり、７５°〜１０５°の範囲を意味する。
【００１０】
尚、この電源部着脱型増幅器においては、ケース本体の底部に、電源部から出力される電力を増幅部に入力するための受電端子が配置され、電源部をケース本体内に収納した際に、電源出力端子及び信号入出力端子の突出方向を電源コードの基端部における突出方向と約９０°異なる特定の方向に設定することにより、電源部の筐体からケース本体の底部側へ向かって突出させた状態の電源出力端子が嵌合し、電気的に接続されるように構成されていることが好ましく、また、ケース本体の底部の裏面側に、所定の高さ寸法にて突出する膨出部が形成され、この中に受電端子が配置されていることが好ましい。更に、電源コードのうち、ケース内に収納される部分が、電源部から、ケース本体に形成された電源コード用開口部まで直線的に配置されるように構成されていることが好ましい。
【発明の効果】
【００１１】
本発明の電源部着脱型増幅器は、電源部の電源出力端子等の突出方向を変更することができ、電源部をケース本体から取り出して使用する場合には、電源出力端子等の突出方向を、電源コードの突出方向と同じ方向となるようにして、接続される同軸ケーブルや電源コードの取り回しが悪くなるという問題を好適に回避でき、一方、電源部をケース本体に収納して使用する場合には、ケース本体の底部に配置した受電端子と嵌合するように、電源部の筐体からケース本体の底部側へ突出させた状態とすることができる。従って、電源出力端子等を収納するためのスペースを、ケース本体の底部の裏面側へ向かって延長するというレイアウトが可能となり、ケース本体の内部空間の省スペース化を図ることができ、ケースの外形寸法を最小化することができる。
【図面の簡単な説明】
【００１２】
【図１】図１は、本発明の第１実施形態に係る増幅器１の斜視図である。
【図２】図２は、本発明の第１実施形態に係る増幅器１において、電源部４を収納した状態のケース２及び増幅部３の平面図である。
【図３】図３は、本発明の第１実施形態に係る増幅器１において、電源部４を取り外した状態のケース２及び増幅部３の平面図である。
【図４】図４は、図１に示した電源部４の斜視図である。
【図５】図５は、図１に示した電源部４の斜視図である。
【図６】図６は、図１に示した増幅器１の下方側からの視点による斜視図である。
【発明を実施するための形態】
【００１３】
以下、本発明「電源部着脱型増幅器」の実施形態について説明する。図１は、本発明に係る増幅器１（第１の実施形態）の斜視図である。この増幅器１は、基本的には、ケース２と、ケース２内に収納された増幅部３と、ケース２に対して着脱自在な電源部４とによって構成されている。
【００１４】
ケース２は、ケース本体２１と、カバー２２とによって構成されている。ケース本体２１は、矩形状の底部２１ｃと、側部（底部２１ｃの周縁を取り囲むように立設させた四つの連続した側部）とによって箱形に形成されている。尚、この増幅器１は、図１においては、ケース本体２１の底部２１ｃが下方側となる向きで示されているが、実際に使用される場合には、底部２１ｃが垂直となるように、また、四つの側部のうち、端子側側部２１ａが下方側となる向きで、建物の壁面等に対し底部２１ｃ側を当接させて取り付け、固定される。
【００１５】
カバー２２は、一端側がケース本体２１に対して枢着されており、ケース本体２１内部を開放した状態（図１に示す状態）から、ケース本体２１を覆って内部を遮蔽する状態まで、自在に開閉するように構成されている。
【００１６】
増幅部３は、入力された信号を増幅して出力するものであり、複数の信号入出力端子３１を有している。図示されているように、増幅部３は、それらの信号入出力端子３１を、ケース本体２１の端子側側部２１ａから外側へ突出させた状態で、ケース本体２１内に収納されている。
【００１７】
電源部４は、増幅部３へ電力を供給するためのものであり、電源コード４１、電源出力端子４２、及び、信号入出力端子４３を有しており、ケース２に対し着脱可能なように構成されている。より具体的には、図１に示されているように、ケース本体２１内には、電源部４を収納するためのスペース２３が確保されており、電源部４は、このスペース２３内に収納した状態で使用することもできるし（図２参照）、また、ケース本体２１内から取り出して、ケース２及び電源部４から離れた位置に設置して使用することもできる。
【００１８】
尚、電源部４をケース本体２１内から取り出して使用する場合、電源を確保できる位置に設置し、電源コード４１の先端のプラグ（図示せず）を電源コンセントに差し込むとともに、電源出力端子４２を、同軸ケーブルを介して増幅部３の信号入出力端子３１と接続し、更に、信号入出力端子４３を、同軸ケーブルを介してテレビジョン受像機等に接続する。この場合、下り放送信号は、増幅部３の信号入出力端子３１から出力され、同軸ケーブルによって伝送され、電源出力端子４２から電源部４に入力される。そして、信号入出力端子４３から出力され、同軸ケーブルによって伝送され、テレビジョン受像機等に入力される。上り信号は、その同一の経路を反対向きに入出力され、伝送される。また、電力は、電源部４の電源出力端子４２から出力され、信号入出力端子３１から増幅部３に供給される。
【００１９】
図３は、電源部４を取り外した状態のケース２及び増幅部３の平面図である。図示されているように、ケース本体２１の底面（底部２１ｃの内側の面）には、受電端子２４が設けられている。この受電端子２４は、増幅部３に接続されており、図２に示すように電源部４をケース本体２１内に収納して使用する場合において、電源部４から出力される電力を増幅部３に入力するためのものである。このため受電端子２４は、電源部４をケース本体２１内に収納した際に、電源部４の電源出力端子４２が嵌合し、電気的に接続される位置に設けられている。
【００２０】
図４は、電源部４の斜視図である。この図においては、電源出力端子４２及び信号入出力端子４３と、電源コード４１とが、９０°異なる方向へ突出した状態となっている。より具体的には、電源コード４１は、電源部４の後方側面４５からその垂直方向へ突出し、一方、電源出力端子４２及び信号入出力端子４３は、後方側面４５と９０°の角度をなす底面からその垂直方向へ突出している。
【００２１】
これは、電源出力端子４２及び信号入出力端子４３を本体ケース２１の底部２１ｃの方向へ突出させた向きで、電源部４をケース本体２１に収納できるようにして、ケース本体２１の内部スペースにおいて、電源部４の信号入出力端子４３を収めるための余分なスペースを排するとともに、電源コード４１を効率よく収納することによって、ケース２の外形寸法（幅寸法）を極力小さくできるようにするためである。
【００２２】
従来の電源部着脱型増幅器のように、電源部の信号入出力端子を側方へ突出させた向きでケース内に収容する構成とした場合、ケースの外形寸法を側方（底部２１ｃと平行な方向）へ向かって延長することによって、電源部の信号入出力端子を収めるスペースを確保しなければならず、その分だけケースの外形寸法を大きくせざるを得ないが、本実施形態の増幅器１においては、電源部４の電源出力端子４２及び信号入出力端子４３を収納するためのスペースを、ケース本体２１の底部２１ｃの裏面側へ向かって延長することによって確保しているため、ケース２の外形寸法をその分だけ小さくすることができる。
【００２３】
尚、本実施形態においては、図６に示すように、ケース本体２１の底部２１ｃの裏面側に、所定の高さ寸法にて突出する膨出部２１ｄが形成されており、この中に受電端子２４（図３参照）が配置されている。そして、この膨出部２１ｄの突出寸法は、ケース本体２１の底部２１ｃの裏面側に突出形成されている取付固定部２１ｅ（増幅器１を建物の壁面等へ取り付けるための部材）の突出寸法以下に設定されている。従って、ケース本体２１の厚さ寸法を大きくすることなく、電源部４の電源出力端子４２及び受電端子２４をケース本体２１内に収納することができ、ケース２の外形寸法を最小化することができる。
【００２４】
一方、電源コード４１については、ケース２内の防水を図るべく、ケース２の下方側からケース２の外側へ延長されるように構成されるべきである。つまり、電源コード４１をケース２内から外側へ通すための開口部（電源コード用開口部２１ｂ）は、設置時において下方側となる端子側側部２１ａに形成されることが望ましい（図２参照）。また、電源コード４１のうち、ケース２内に収納される部分は、電源部４から電源コード用開口部２１ｂまで直線的に配置されることが望ましい。このため、本実施形態においては、電源部４をケース本体２１内に収納した場合において、電源部４の筐体のうち、電源コード用開口部２１ｂが形成されている端子側側部２１ａに最も近い後方側面４５からその垂直方向へ電源コード４１が突出するように構成されている。
【００２５】
その結果、電源部４は、図４に示すように電源コード４１と、電源出力端子４２及び信号入出力端子４３とが、９０°異なる方向へ突出することになるが、電源部４をケース２から取り出して使用する場合には、電源コード４１と、電源出力端子４２及び信号入出力端子４３の突出方向が異なっていると、接続される同軸ケーブルや電源コード４１の取り回しが悪くなり、また、電源部４を壁面等に取り付ける場合等において問題がある。
【００２６】
そこで、本実施形態においては、端子ベース部４４を回動させることによって、電源出力端子４２及び信号入出力端子４３の突出方向を変更できるようになっている。より詳細には、図４に示すように、電源出力端子４２及び信号入出力端子４３が、電源部４の後方側面４５と９０°の角度をなす底面の垂直方向へ突出した状態から、図５に示すように、後方側面４５の垂直方向（電源コード４１の突出方向と同じ方向）へ突出した状態に変更でき、またその反対に、図５に示すような状態から、図４に示す状態に変更できるようになっている。
【００２７】
従って、電源部４をケース本体２１内に収納して使用する場合には、電源出力端子４２等をケース本体２１の底部２１ｃの方向へ突出させることにより、受電端子２４に嵌合させることができ、電源部４をケース本体２１から取り出して使用する場合には、電源出力端子４２等を、電源コード４１と同じ方向へ突出させることにより、接続される同軸ケーブルや電源コード４１の取り回しが悪くなる等の問題を好適に回避することができる。
【符号の説明】
【００２８】
１：増幅器、
２：ケース、
３：増幅部、
４：電源部、
２１：ケース本体、
２１ａ：端子側側部、
２１ｂ：電源コード用開口部、
２１ｃ：底部、
２１ｄ：膨出部、
２１ｅ：取付固定部、
２２：カバー、
２３：スペース、
２４：受電端子、
３１：信号入出力端子、
４１：電源コード、
４２：電源出力端子、
４３：信号入出力端子、
４４：端子ベース部、
４５：後方側面
【図１】
0005468995.tif 000002
【図２】
0005468995.tif 000003
【図３】
0005468995.tif 000004
【図４】
0005468995.tif 000005
【図５】
0005468995.tif 000006
【図６】
0005468995.tif 000007